(57)【要約】      （修正有）【課題】女性や年配者のような非力なユーザーにとっても、手首へ負担がかかりにくく、給湯等の作業を容易にかつ安定して行うことができる給湯用容器ユニットを提供する。【解決手段】給湯用容器ユニット１００は、液体を収容する容器本体の両側面部に一対の突起部４が設けられる給湯用容器１０と、この給湯用容器１０を注出口３の設置方向に揺動可能に支持する支持台２０とを備える。支持台２０が、一対の揺動部材６１と、受け部材６２とを有する揺動機構６と、一対の揺動部材６１に対応する一対の支持部材７ａ、７ｂとを有し、一対の支持部材７ａ、７ｂが、回転軸Ｘによって揺動機構６を回転可能とする。【選択図】図３
2019071996.tif 000002
【特許請求の範囲】
【請求項１】
液体を収容する容器本体と、Ｕ字状の把手部と、該容器本体の側部に突設される注出口とを備え、前記把手部が前記容器本体の上部において前記注出口の設置方向と直交する方向に設けられ、前記注出口の設置方向と直交する方向における前記容器本体の両側面部に一対の突起部が設けられる給湯用容器と、
この給湯用容器を前記注出口の設置方向に揺動可能に支持する支持台とを備え、
前記支持台が、一対の揺動部材と、受け部材とを有する揺動機構と、前記一対の揺動部材に対応する一対の支持部材とを有し、
前記一対の揺動部材のそれぞれが、一方の端部に前記突起部を回転可能に載置する載置部を有し、前記載置部から離間した箇所に回転軸を有し、他方の端部には前記受け部材が連結されており、
前記一対の支持部材が、前記回転軸によって前記揺動機構を回転可能に軸支することを特徴とする
給湯用容器ユニット。
【請求項２】
前記載置部が、載置された前記給湯用容器が前記注出口の設置方向へ移動するための可動空間を有する請求項１に記載の給湯用容器ユニット。
【発明の詳細な説明】
【技術分野】
【０００１】
本発明は、鉄瓶、やかん等の、収容液体を加熱して容器外へ注出するための給湯用容器に関する。
【背景技術】
【０００２】
従来、鉄瓶、やかん等の、収容液体を加熱して容器外へ注出するための給湯用容器９としては、図６に示すように、上部に設けられる円形の開口９１と側部に設けられる注出口９２とを有する湯等の液体を収容する容器本体９３と、開口９１を覆う着脱可能な円盤状の蓋体９４と、注出口９２の設置方向と同一方向に開口９１を跨がって設けられるＵ字状の把手部９５とを備えるものが一般的である。このような給湯用容器９は、把手部９５を握って容器本体９３を注出口９２方向へ傾けることにより注出を行う。
【発明の概要】
【発明が解決しようとする課題】
【０００３】
しかしながら、容器本体９３に湯等の液体を収容した状態の給湯用容器９は相当な重量となり、その上げ下ろしや給湯作業には大きな力を要する。また、把手部９５が注出口９２の設置方向と同一方向に設けられているため、特に給湯作業の際には、把手部９５を握っている手首を前方向にひねるようにして容器本体９３を注出口９２方向へ傾ける必要があり、手首に負担がかかる。このようなことから、従来の給湯用容器９は、女性や年配者のような非力なユーザーにとっては負担が大きく、日常生活で気軽に使用するには不便であるという問題がある。
【０００４】
本発明は上述のような事情に基づいてなされたものであり、特に給湯作業の際に手首に負担がかかりにくく、女性や年配者のような非力なユーザーであっても、給湯等の作業を容易にかつ安定して行うことができる給湯用容器ユニットを提供することを目的とする。
【課題を解決するための手段】
【０００５】
上記課題を解決するために、第一に本発明は、液体を収容する容器本体と、Ｕ字状の把手部と、該容器本体の側部に突設される注出口とを備え、前記把手部が前記容器本体の上部において前記注出口の設置方向と直交する方向に設けられ、前記注出口の設置方向と直交する方向における前記容器本体の両側面部に一対の突起部が設けられる給湯用容器と、この給湯用容器を前記注出口の設置方向に揺動可能に支持する支持台とを備え、前記支持台が、一対の揺動部材と、受け部材とを有する揺動機構と、前記一対の揺動部材に対応する一対の支持部材とを有し、前記一対の揺動部材のそれぞれが、一方の端部に前記突起部を回転可能に載置する載置部を有し、前記載置部から離間した箇所に回転軸を有し、他方の端部には前記受け部材が連結されており、前記一対の支持部材が、前記回転軸によって前記揺動機構を回転可能に軸支することを特徴とする給湯用容器ユニットを提供する（発明１）。
【０００６】
給湯用容器の容器本体の両側面部に設けられる一対の突起部を、支持台の所定位置に載置し、給湯用容器ユニットの突起部側から給湯用容器の把手部に手を添えて容器本体を注出口の方向へ押し出すように軽く力を掛けるか、又は給湯用容器ユニットの注出口側から給湯用容器の把手部に手を添えて容器本体を注出口の方向へ引っ張るように軽く力を掛けると、まず、給湯用容器は、一対の突起部自体を回転軸として注出口の方向へと傾動し、注出口の下部が揺動機構を構成する受け部材に当接したところで停止する。そのまま給湯用容器に対して力を掛け続けると、次に、受け部材にかかる下方向の力が、揺動部材の回転軸を支点に、揺動部材を上方向へ持ち上げる回転力として働くことにより、揺動機構が回転軸を支点にして回転を始めるので、この揺動機構の回転にともなって、給湯用容器全体が注出口の方向へと傾動する。このように、かかる発明（発明１）によれば、給湯用容器の容器本体に湯等を収容して相当な重量となった場合であっても、注出口の設置方向と直交する方向に設けられる把手部に手を添えて容器本体に軽く力を掛けるだけで、手首をひねることなく、容易に給湯作業を行うことができる。
【０００７】
上記発明（発明１）においては、前記載置部が、載置された前記給湯用容器が前記注出口の設置方向へ移動するための可動空間を有することが好ましい（発明２）。
【０００８】
かかる発明（発明２）によれば、揺動部材の回転軸を支点とする揺動機構の回転にともなう給湯用容器の注出口方向への傾動の際に、上記給湯用容器に設けられた突起部が載置部の可動空間内を注出口方向へ移動するので、落水点が後退することを防ぐことができ、注出が終わりに近付いても容易に給湯作業を行うことができる。
【発明の効果】
【０００９】
本発明の給湯用容器ユニットによれば、給湯用容器の容器本体に湯等を収容して相当な重量となった場合であっても、注出口の設置方向と直交する方向に設けられる把手部に手を添えて容器本体を注出口方向へ軽く押し出すだけで、手首をひねることなく、容易に給湯作業を行うことができる。
【図面の簡単な説明】
【００１０】
【図１】本発明の一実施形態に係る給湯用容器ユニットが備える給湯用容器（水平に設置された状態）を示す概略図であって、（ａ）は平面図、（ｂ）は正面図、（ｃ）は側面図である。（ｂ）の正面図以外において、把手部の表示は省略している。
【図２】図１の給湯用容器を示す模式的垂直断面図である。把手部の表示は省略している。
【図３】本発明の一実施形態に係る給湯用容器ユニット（給湯用容器が水平に支持された状態）を示す概略図であって、（ａ）は側面図、（ｂ）は斜視図である。（ａ）の側面図において、把手部の表示は省略している。
【図４】図３の給湯用容器ユニットの揺動機構を示す概略図であって、（ａ）は側面図、（ｂ）は斜視図である。
【図５】図３の給湯用容器ユニットの動作を示す側面方向から見た説明図であって、（ａ）は給湯用容器が中立位置にある状態、（ｂ）は給湯用容器が第１傾斜位置にある状態、（ｃ）は給湯用容器が第２傾斜位置にある状態である。把手部の表示は省略している。
【図６】従来の給湯用容器を示す概略図である。
【発明を実施するための形態】
【００１１】
以下、本発明の給湯用容器ユニットの実施の形態について、適宜図面を参照して説明する。以下に説明する実施形態は、本発明の理解を容易にするためのものであって、何ら本発明を限定するものではない。なお、以下の説明においては、図１−５に示すように、水平に設置（又は支持）された状態の給湯用容器１０の容器本体１の中心軸Ａに対して、注出口３の設置方向をＹ軸方向、Ｙ軸と直交する水平方向をＸ軸方向、Ｘ軸及びＹ軸と直交する垂直方向をＺ軸方向とする。なお、３軸方向の正方向については、図中に矢印で示すＸ軸方向、Ｙ軸方向及びＺ軸方向をそれぞれ正とする。本実施形態において、給湯用容器１０は、注出口３の設置方向と中心軸Ａとを結ぶ直線と、一対の突起部４を結ぶ直線とが、直交する構成となっている。
【００１２】
＜給湯用容器＞
本実施形態に係る給湯用容器ユニットが備える給湯用容器１０は、鋳鉄製の給湯用容器、いわゆる鉄瓶であって、図１及び図２に示すように、液体を収容する容器本体１と、容器本体１の上部に設けられる開口１１と、開口１１を覆う着脱可能な円盤状の蓋体５と、容器本体１の側面部に突設される注出口３と、容器本体１の上部において、注出口３の設置方向と直交する方向に設けられるＵ字状の把手部２と、注出口３の設置方向と直交する方向における容器本体１の両側面部に設けられる一対の突起部４とを主に備える。
【００１３】
［容器本体］
容器本体１は液体を収容するためのものであり、Ｚ軸正方向側（図中上側）の径に比べてＺ軸負方向側（図中下側）の径がやや大きい略円柱形状を有する。容器本体１のＺ軸正方向側には、液体を導入するための開口１１が設けられている。また、容器本体１のＹ軸正方向側の側面部には、液体を注出するための注出口３が容器本体１と一体的に設けられており、Ｘ軸方向側の両側面部には、容器本体１のＹ軸正方向への揺動を可能とする一対の突起部４が設けられている。さらに、容器本体１の開口１１の縁部には、把手部２を取り付けるための一対の取付孔１２が設けられている。
【００１４】
図２に示すように、容器本体１の内周面には、満水時の水位を表示した凸状又は凹状の満水位表示目盛Ｍが設けられている。これにより、ユーザーは満水位を視覚で判断することができるので、満水位を超えることによって給湯用容器１０全体の重心が変化したり液体が沸騰して吹きこぼれが生じたりすることを極力防ぐことができる。
【００１５】
［開口］
開口１１は、容器本体１のＺ軸正方向側（図中上側）に、その周縁部が水平面（Ｘ−Ｙ面）と平行であるように設けられている。開口１１の内周部には、蓋体５を装着するための蓋受部１１１が形成されている。開口１１の径は、容器本体１の最大径より小さくなっている。
【００１６】
［注出口］
注出口３は、容器本体１のＹ軸正方向側（図中左側）の側面部に、容器本体１と一体的に設けられている。注出口３は、図２に示すように、容器本体１と注出口３との境界点のうち、Ｚ軸正方向側のものを境界点ａ、Ｚ軸負方向側のものを境界点ｂとしたとき、境界点ａが満水位表示目盛ＭよりもややＺ軸正方向側（図中上側）に位置している。注出口３がこのような位置に設けられることにより、満水時にも注出口３内部に空間が存在するため、沸騰の際に注出口３から湯等が吹きこぼれるのを極力防ぐことができる。
【００１７】
また、注出口３は、図２に示すように、その下部と容器本体１の底部とが、連続的な面を形成するように設けられている。注出口３がこのように設けられることにより、容器本体１内部から注出口３への液体の移動がスムーズに行われるため、給湯をスムーズに行うことが可能となる。加えて、境界点ａを満水位表示目盛Ｍよりもやや上側に位置させつつ、注出口３の下部と容器本体１の底部とが連続的な面を形成するように構成しようとすると、必然的に境界点ｂが、容器本体１のＺ軸負方向側（図中下方側）に位置することになるので、注ぎ終わりの時点における容器本体１の傾斜角度を小さくすることができる。したがって、例えば、完全注出時に蓋体５が開口１１から脱落してしまうのを回避することができるので、安全面においても効果的である。なお、本実施形態において、容器本体１の注ぎ終わりの時点における傾斜角度は約６０度である。
【００１８】
［把手部］
把手部２は、略Ｕ字状の部材であって、その端部のそれぞれが、容器本体１の一対の取付孔１２に取り付けられることにより、注出口３の設置方向と直交する方向（Ｘ軸方向）に、容器本体１の中心軸Ａを通って開口１１にまたがるようにして設けられている。本実施形態において、把手部２は、取付孔１２に対してＹ軸負方向側にのみ起倒可能に取り付けられており、その起倒可能な角度の範囲は０度−９０度である。把手部２がこのような構成であることにより、水等の液体を開口１１から容器本体１へ導入する際には、把手部２をＹ軸負方向側へ９０度倒すことで容易に導入作業を行うことができ、また、給湯の際には、０度の位置にある把手部２に手を添えてＹ軸正方向側へ軽く力を掛けるだけで給湯用容器１０全体を傾動させることができる。なお、把手部２は、取付孔１２に対して固定されていてもよい。
【００１９】
把手部２の形状は、給湯用容器１０の上げ下ろしや給湯作業が容易であるように略Ｕ字状である。ここで、略Ｕ字状とは、把手部２の両端部が互いに近接するように湾曲又は屈曲された形状を意味しており、Ｕ字状に限らず、コ字状や半円状、馬蹄状等の他の形状も含む概念である。
【００２０】
［突起部］
突起部４は、容器本体１のＸ軸方向側の両側面部に一対で設けられている。突起部４を設ける位置は、図２に示すように、容器本体１が空の状態から満水の状態までに渡って、給湯用容器１０の釣り合いを水平に保つことが可能となるように、垂直方向（Ｚ軸方向）では、容器本体１に満水位表示目盛Ｍまで液体を収容した状態における給湯用容器１０の重心ＣよりややＺ軸正方向側（図中上側）、水平方向（Ｙ軸方向）では、注出口３の重量を考慮して、容器本体１の中心軸ＡよりややＹ軸正方向側（図中左側）である。
【００２１】
本実施形態において、突起部４は、図１に示すように、略円柱状の先端部４１と、これよりも径の小さい軸部４２とにより構成されている。突起部４がこのような形状であることにより、後述する揺動機構６の所定箇所に突起部４の先端部４１が引っ掛かるため、揺動機構６から給湯用容器１０が容易に脱落するのを防ぐことができる。なお、突起部４の形状は、後述する揺動機構６が有する揺動部材６１の載置部６１２上に回転可能に載置することができるような形状であれば、特に限定されず適宜設定できる。
【００２２】
［蓋体］
蓋体５は、開口１１を覆う着脱可能な円盤形状であり、その中心に一体的に設けられるつまみ５１を有する。本実施形態において、蓋体５の垂直方向（Ｚ軸方向）の断面形状は、図２に示すように、略逆円弧状である。このように蓋体５の断面形状が略逆円弧状であることにより、蓋体５の形状に沿って、容器本体１内の蒸気を中心部から周縁部へ逃すことが可能となり、注出口３からの排圧が促進されるので、温度上昇による内圧の上昇が抑制され、蓋体５の周縁部の隙間から沸騰した液体が吹きこぼれるのを防ぐことができる。
【００２３】
また、蓋体５が上述のような形状であることにより、蓋体５自体の重心が下方に下がり、安定性が増すため、給湯の際に容器本体１の傾斜角度が大きくなった場合でも、蓋体５が開口１１から容易に脱落するのを防ぐことができる。
【００２４】
蓋体５のつまみ５１は、その上面部が水平面（Ｘ−Ｙ面）に対して平行であり、蓋体５の垂直方向（Ｚ軸方向）高さよりも大きい垂直方向（Ｚ軸方向）高さを有する。つまみ５１がこのような構成であることにより、蓋体５を裏返して天板等に置いた際に、例えば、図６に示すようなつまみが球状である場合のように蓋体の周縁部に沿って蓋体が回転することなく、つまみ５１の平らな上面部を支点にして浮いた状態で蓋体５の釣り合いを保つことができるので、天板等を水滴で濡らすことを抑制することができる。
【００２５】
＜給湯用容器ユニット＞
本実施形態に係る給湯用容器ユニット１００は、図３に示すように、給湯用容器１０と、給湯用容器１０を注出口３の設置方向に揺動可能に支持する支持台２０とを主に備える。なお、以下の説明においては、図３（ａ）、（ｂ）及び図５（ａ）に示すような、給湯用容器１０が容器本体１の突起部４を介して支持台２０に水平に支持された状態を中立位置といい、図５（ｂ）に示すような、給湯用容器１０が突起部４を回転軸として傾動し、注出口３が受け部材６２に当接して停止した状態を第１傾斜位置といい、図５（ｃ）に示すような、給湯用容器１０が揺動部材６１の回転軸Ｘを支点にした回転にともない傾動した状態を第２傾斜位置という。なお、図４に示す揺動機構６は、給湯用容器１０が中立位置にある場合を基準として、Ｘ軸方向、Ｙ軸方向、Ｚ軸方向を設定している。
【００２６】
〔支持台〕
支持台２０は、給湯用容器１０を注出口３の設置方向に揺動可能に支持するものであって、一対の揺動部材６１と、受け部材６２とを有する揺動機構６と、一対の揺動部材６１に対応する一対の支持部材７と、一対の支持部材７が設けられる台座部材８とを主に備える。なお、以下においては、図３及び４に示すように、一対の揺動部材６１のうち、Ｘ軸正方向側に位置する方を揺動部材６１ａ、Ｘ軸負方向側に位置する方を揺動部材６１ｂ、一対の支持部材７のうち、Ｘ軸正方向側に位置する方を支持部材７ａ、Ｘ軸負方向側に位置する方を支持部材７ｂと、それぞれいうことがある。また、揺動部材６１及び支持部材７は、台座部材８のＹ−Ｚ面中央部に対して左右対称の構造である。このため、以下においては、一対の部材のうちＸ軸正方向側に設けられる揺動部材６１ａ、支持部材７ａについてのみ説明することがある。
【００２７】
［揺動機構］
揺動機構６が有する一対の揺動部材６１はそれぞれが、図４に示すように、給湯用容器１０が注出口３の設置方向に揺動可能となるように軸支する回転軸Ｘを有し、この回転軸Ｘは、揺動部材６１ａにおいてはＸ軸正方向側に、揺動部材６１ｂにおいてはＸ軸負方向側に、それぞれ凸設されている。一方、一対の支持部材７はそれぞれが、回転軸Ｘを回転可能に軸支する軸受孔を有し、この軸受孔は、支持部材７ａにおいてはＸ軸負方向側に、支持部材７ｂにおいてはＸ軸正方向側にそれぞれ凹設されている。揺動機構６は、一対の揺動部材６１の回転軸Ｘが、一対の支持部材７に設けられた軸受孔により支持部材７に枢着されることにより、一対の支持部材７の内側において、回転軸Ｘを中心にしてシーソーのように揺動可能となっている。
【００２８】
（揺動部材）
一対の揺動部材６１（６１a、６１ｂ）は、後述する受け部材６２とともに揺動機構６を構成するものであって、図４に示すように、それぞれが、Ｙ軸方向に延びる略棒状の本体部６１１と、容器本体１の突起部４を回転可能に載置する載置部６１２と、支持部材６２に支持される回転軸部６１３とを有する。
【００２９】
揺動部材６１ａの本体部６１１は、図４（ａ）に示すように、中央よりややＹ軸正方向側の位置を頂点に、Ｙ軸方向の両端部に向かって高さが低くなるように、側面視で略ヘの字形に屈曲形成されている。本体部６１１のＹ軸負方向側の端部には載置部６１２が設けられ、上記頂点よりややＹ軸正方向側には回転軸部６１３がＺ軸負方向側に突設され、Ｙ軸正方向側の端部には受け部材６２が連結されている。このように、載置部６１２と回転軸部６１３は、本体部６１１上に所定の距離を離間して設けられている。
【００３０】
揺動部材６１ａの回転軸部６１３は、図４（ａ）に示すように、本体部６１１に対して略Ｚ軸負方向側に突出するように設けられており、その先端に、Ｘ軸正方向側に凸設される回転軸Ｘを有する。揺動部材６１ａは、この回転軸Ｘが支持部材７ａの軸受孔に嵌入されることにより、支持部材７ａに軸支される。
【００３１】
揺動部材６１ａの載置部６１２は、図４（ａ）に示すように、容器本体１の突起部４がＹ軸方向に可動可能な空間部６１２１を有する。載置部６１２は、Ｙ−Ｚ面（垂直面）の断面が略Ｕ字状であり、このＵ字状構造による空間が空間部６１２１として機能している。なお、本実施形態においては、図３（ｂ）に示すように、揺動部材６１ａ全体の厚さが、突起部４の軸部４２の長さより小さい構成であるが、容器本体１が揺動部材６１ａから容易に脱落するのを防ぐために、少なくとも上記Ｕ字状構造が、突起部４の軸部４２の長さと同程度かそれ以下の厚さを有しているのが好ましい。また、本実施形態において、上記Ｕ字状構造は、その両端部の立ち上がりが突起部４の軸部４２の径と同程度かそれ以上の高さを有しているとともに、本体部６１１が有する略への字形状にともない、Ｙ軸負方向側にわずかに傾斜している。
【００３２】
（受け部材）
受け部材６２は、図４（ｂ）に示すように、Ｘ軸方向に延びる略棒状の部材であって、中央に給湯用容器１０の注出口３を支持可能な当接部６２１を有する。当接部６２１の形状は、給湯用容器１０が突起部４自体を回転軸として注出口３の方向へ傾動し、注出口３の下部が受け部材６２に当接した際に、注出口３を介して給湯用容器１０を支持可能であれば特に限定されないが、注出口３の下部の形状に対応する溝構造を有することが好ましい。本実施形態において当接部６２１は、図４（ｂ）に示すように、略ボビン形状であって、そのＸ軸方向両端が底面部を外側にした略円錐台状のフランジ構造になっており、この両側のフランジに挟まれた環状溝領域が、注出口３の下部の形状に対応する形状となっている。
【００３３】
受け部材６２は、揺動部材６１ａのＹ軸正方向側の端部と、揺動部材６１ｂのＹ軸正方向側の端部とを直交する方向に連結しているので、揺動機構６は、図４（ｂ）に示すように、上面視で略コの字形状を有している。
【００３４】
なお、一対の揺動部材６１及び受け部材６２の材質としては、耐熱性と機械的強度を兼ね備えたものであれば特に限定されず、例えば、真鍮製の部材が好適に用いられる。
【００３５】
［支持部材］
支持部材７は、略板状の部材であって、揺動部材６１の回転軸Ｘを軸支する軸受孔を有し、一対の揺動部材６１に対応して一対で用いられる。
【００３６】
支持部材７（７ａ、７ｂ）は、図３に示すように、台座部材８のＸ軸方向側の両側部に垂直方向（Ｚ軸方向）に設けられる。支持部材７ａと７ｂとの離間距離は、給湯用容器１０の両側面部に設けられている一対の突起部４の先端部４１の離間距離と略同じである。支持部材７の厚さは、突起部４の先端部４１の厚さと略同じである。支持部材７（７ａ、７ｂ）がこのような構造であることにより、一対の突起部４の先端部４１のそれぞれを、支持部材７ａ、７ｂの上面部に載置することによって、給湯用容器１０を水平に安定して保持することが可能となる。
【００３７】
支持部材７ａの上面部は、揺動部材６１aの形状に対応する略への字形を有しているとともに、Ｙ軸負方向側の端部は、揺動部材６１ａの載置部６１２のＹ軸負方向側の端部と同じように、立ち上がりを有し、この立ち上がりが突起部４の先端部４１の径と同程度かそれ以上の高さを有している。支持部材７（７ａ、７ｂ）の上面部がこのような形状であることにより、一対の突起部４の先端部４１を支持部材７の上面部に載置したときに、突起部４の先端部４１が支持部材７から脱落するのを防ぐことができる。
【００３８】
支持部材７ａの軸受孔は、支持部材７ａのＸ軸負方向側に、給湯用容器１０が中立位置にあるときに、台座部材８に設置した卓上型加熱器と給湯用容器１０とが所定の距離を離間した状態となるような位置に、揺動部材６１ａの回転軸Ｘに対応して設けられている。支持部材７ａの軸受孔の形状は、揺動部材６１ａの回転軸Ｘを回転可能に軸支することができる限り、特に限定されない。
【００３９】
支持部材７（７ａ、７ｂ）には、図３に示すように、給湯用容器１０を卓上型加熱器上に配置したときに、容器本体１の突起部４が支持部材７の側面に接触しないようにするための切り込み部７１が設けられていてもよい。
【００４０】
なお、支持部材７の材質としては、耐熱性と機械的強度を兼ね備えたものであれば特に限定されず、例えば、鋳鉄製や木製の部材が好適に用いられる。
【００４１】
［台座部材］
台座部材８は、支持台２０の底部を構成する板状の部材である。台座部材８は、その上側（Ｚ軸正方向側）に市販の卓上型加熱器を設置可能に構成されている。台座部材８は、図５に示すように、給湯用容器１０が湯等の液体を注出する急須等を置くための設置台８１を一体的に有する構造であってもよい。台座部材８の材質としては、耐熱性と機械的強度を兼ね備えたものであれば特に限定されず、例えば、鋳鉄製や木製の部材が好適に用いられる。
【００４２】
次に、図５を参照しつつ、給湯用容器ユニット１００の動作について具体的に説明する。
【００４３】
＜給湯用容器ユニットの動作＞
まず、台座部材８の所定位置に設置した市販の卓上型加熱器に、満水位表示目盛Ｍまで水を収容した給湯用容器１０を配置する。卓上型加熱器の電源を入れ、給湯用容器１０を加熱する。このとき、給湯用容器１０は、容器本体１の突起部４が、支持部材７の本体部に設けられた切り込み部７１に位置するため、支持部材７の側面に接触することはない。
【００４４】
加熱によって容器本体１内の水が沸騰に達したら、卓上型加熱器の電源を切り、容器本体１の一対の突起部４をそれぞれ、一対の支持部材７の上面部に載置する。このとき、容器本体１の一対の突起部４の先端部４１はそれぞれが、支持部材７の上面部においてＹ軸負方向側の端部に当接して停止した状態にある。一方、容器本体１の一対の突起部４の軸部４２はそれぞれが、支持部材７の内側に設けられている揺動部材６１の載置部６１２上においてＹ軸負方向側の端部に当接した状態にあるので、突起部４の軸部４２から揺動部材６１の載置部６１２が受けるＺ軸負方向の力によって、受け部材６２の自重による揺動機構６の回転軸Ｘを支点とする回転が阻止される。この動作により、給湯用容器１０は、図５（ａ）に示すように、卓上型加熱器からＺ軸正方向に所定の距離を離間した状態で支持台２０に水平に支持される（中立位置）。
【００４５】
次に、台座部材８の設置台８１に、給湯用容器１０から注出する湯を受けるための急須等を設置した後、中立位置にある給湯用容器１０の把手部２に手を添えて容器本体１を注出口３の方向へ押し出すように軽く力を掛ける。すると、まず、給湯用容器１０は、支持部材７の上面部において突起部４の軸部４２を回転軸として回転し、注出口３の方向へ傾動する。この突起部４自体を回転軸とする傾動は、図５（ｂ）に示すように、注出口３の下部が受け部材６２の当接部６２１に当接したところで停止する（第１傾斜位置）。
【００４６】
第１傾斜位置にある給湯用容器１０に対して、そのまま力を掛け続けると、次に、揺動機構６が回転軸Ｘを支点にして正方向に回転を始める。これは、揺動機構６を構成する受け部材６２にかかるＺ軸負方向の力が、回転軸Ｘを支点に、揺動部材６１をＺ軸正方向へ持ち上げる回転力として働くことによる。この揺動機構６の回転にともなって、給湯用容器１０は、一対の揺動部材６１の載置部６１２に位置している一対の突起部４の軸部４２が、揺動部材６１ａ、６１ｂによってＺ軸正方向へ押し上げられることにより、支持部材７から離間しながら注出口３の方向へと傾動する。そして、図５（ｃ）に示すように、傾動した給湯容器１０により、急須等に湯の注出が行われる（第２傾斜位置）。なお、本実施形態において、給湯用容器１０の注ぎ終わりの時点における傾斜角度は約６０度である。また、このとき、給湯用容器１０の第２傾斜位置への傾動とともに、突起部４が載置部６１２の有する空間部６１２１内を注出口３の方向に移動するので、落水点が後退することを防ぐことができ、注出が終わりに近付いても急須等に対して適切に給湯が行われる。
【００４７】
以上のように、本発明の給湯用容器ユニット１００は、給湯用容器１０の容器本体１の両側面部に設けられる一対の突起部４による回転軸と、揺動機構６を構成する一対の揺動部材６１が有する回転軸Ｘという、２つの異なる回転軸を備えることにより、給湯用容器１０の容器本体１に湯等を収容して相当な重量となった場合であっても、注出口３の設置方向と直交する方向に設けられる把手部２に手を添えて容器本体１を注出口３の方向へ軽く力を掛けるだけで、手首をひねることなく、容易に給湯作業を行うことを可能とするものである。また、給湯用容器ユニット１００の突起部４側から給湯用容器１０の把手部２に手を添えて容器本体１を注出口３の方向へ押し出す方法、給湯用容器ユニット１００の注出口３側から給湯用容器１０の把手部２に手を添えて容器本体１を注出口３の方向へ引っ張る方法、のいずれでも給湯作業が可能であるので、ユーザーが給湯し易い方法を選択することができる。
【００４８】
以上説明した実施形態は、本発明の理解を容易にするために記載されたものであって、本発明を限定するために記載されたものではない。したがって、上記各実施形態に開示された各要素は、本発明の技術的範囲に属する全ての設計変更や均等物をも含む趣旨である。
【００４９】
上記実施形態では、支持台２０として、揺動機構６を用いて揺動部材６１の回転軸Ｘを中心にして注出口３の方向に給湯用容器１０をシーソーのように揺動可能に支持する方式を用いているが、給湯用容器１０を注出口３の方向に揺動可能に支持することができれば、例えば、揺動機構６を用いずに突起部４自体を回転軸として、注出口３の方向に給湯用容器１０を揺動可能に支持してもよい。また、突起部４によって給湯用容器１０をブランコのように上方から吊り下げることにより、揺動可能に支持してもよい。
【産業上の利用可能性】
【００５０】
本発明の給湯用容器ユニットは、給湯用容器の容器本体に湯等を収容して相当な重量となった場合であっても、注出口の設置方向と直交する方向に設けられる把手部に手を添えて容器本体を注出口方向へ軽く押し出すだけで、手首をひねることなく、容易に給湯作業を行うことができるため、その産業上の利用可能性は極めて大きい。
【符号の説明】
【００５１】
１０  給湯用容器
１  容器本体
１１  開口
１１１  蓋受部
１２  取付孔
２  把手部
３  注出口
４  突起部
４１  先端部
４２  軸部
５  蓋体
５１  つまみ
１００  給湯用容器ユニット
２０  支持台
６  揺動機構
６１  揺動部材
６１１  本体部
６１２  載置部
６１２１  空間部
６１３  回転軸部
Ｘ  回転軸
６２  受け部材
６２１  当接部
７  支持部材
７１  切り込み部
８  台座部材
８１  設置台
【図１】
2019071996.tif 000003
【図２】
2019071996.tif 000004
【図３】
2019071996.tif 000005
【図４】
2019071996.tif 000006
【図５】
2019071996.tif 000007
【図６】
2019071996.tif 000008